(57)【要約】【課題】ＡＶ機器の配置場所、転倒、落下及び放熱の問題を一挙に解決することができるＡＶ機器一体型の壁材及び該壁材を備えた建築物を提供する。【解決手段】２本の柱状部材２１と、柱状部材２１間に掛け渡されており、ＡＶ機器を保持する保持部材２２と、柱状部材２１間を覆う前側下地ボード３、後側下地ボード４と、保持部材２２及び後側下地ボード４を離隔してなる上下方向の通気路（２９）と、保持部材２２に保持されるべき表示装置６より下方に設けられた吸気口３５と、上方に設けられた排気口２８とを備える。そして、保持部材２２を、横方向両側部が柱状部材２１に接続された板状部材２３と、板状部材２３に形成されており、表示装置６が嵌め込まれるべき矩形状の開口部と、該開口部の上辺部分及び下辺部分に設けられており、上下方向から表示装置６を挾持する挾持部材２４，２５から構成する。【選択図】図５
2008208703.tif 000002
【特許請求の範囲】
【請求項１】
内部にＡＶ機器を保持する壁躯体と、
該壁躯体の内部に形成され、該壁躯体内のＡＶ機器に連通する通気路と、
該通気路と連通する開口と
を備えることを特徴とする壁材。
【請求項２】
少なくとも２本の柱状部材と、
該柱状部材間に掛け渡されており、ＡＶ機器を保持する保持部材と、
前記柱状部材間を覆う覆板と、
前記保持部材及び前記覆板を離隔し、又は前記保持部材に形成してなる通気路と、
該通気路と連通する開口と
を備えることを特徴とする壁材。
【請求項３】
少なくとも２本の柱状部材と、
該柱状部材間に掛け渡されており、ＡＶ機器を保持する保持部材と、
前記柱状部材間を前記ＡＶ機器の前方から覆う前側覆板と、
前記柱状部材間を前記ＡＶ機器の後方から覆う後側覆板と、
前記保持部材及び前記後側覆板を離隔し、又は前記保持部材に形成してなる通気路と、
該通気路と連通する開口と
を備え、
前記前側覆板は、
前記保持部材に保持されるべきＡＶ機器を露出する窓部を有する
ことを特徴とする壁材。
【請求項４】
前記保持部材は、
横方向両側部が前記柱状部材に接続され、前記柱状部材の上下両端部に亘る板状部材と、
該板状部材に形成されており、ＡＶ機器が嵌め込まれるべき矩形状の開口部と、
該開口部の下辺部分及び上辺部分に設けられており、上下方向からＡＶ機器を挾持する挾持部材と
を備えることを特徴とする請求項３に記載の壁材。
【請求項５】
前記挾持部材は、
下方から上方へ又は横方向に空気を通流させるための通流孔を前記後側覆板側に備える
ことを特徴とする請求項４に記載の壁材。
【請求項６】
前記開口は、
前記覆板に形成されている
ことを特徴とする請求項２に記載の壁材。
【請求項７】
前記開口は、
前記前側覆板又は前記後側覆板に形成されている
ことを特徴とする請求項３から請求項５までのいずれか一項に記載の壁材。
【請求項８】
前記開口は複数であり、
通気に使用する開口を選択する弁を備える
ことを特徴とする請求項１から請求項７までのいずれか一項に記載の壁材。
【請求項９】
壁外の温度を検出する温度センサと、
該温度センサの検出結果に基づいて、前記弁の選択動作を制御する手段と
を備えることを特徴とする請求項８に記載の壁材。
【請求項１０】
ＡＶ機器の電源の入切を検出する検出手段と、
該検出手段の検出結果に基づいて、前記弁の動作を制御する手段と
を備えることを特徴とする請求項８又は請求項９に記載の壁材。
【請求項１１】
前記開口に設けられたファンを備える
ことを特徴とする請求項１から請求項１０までのいずれか一項に記載の壁材。
【請求項１２】
壁内の温度を検出する温度センサを備え、
該温度センサの検出結果に応じて、前記ファンの動作を制御する手段を備える
ことを特徴とする請求項１１に記載の壁材。
【請求項１３】
ＡＶ機器の電源の入切を検出する検出手段と、
ＡＶ機器の電源が入状態である場合、前記ファンを駆動させ、ＡＶ機器の電源が切状態である場合、前記ファンを停止させる手段と
を備えることを特徴とする請求項１１又は請求項１２に記載の壁材。
【請求項１４】
前記覆板は、
木質系ボード、セメント系ボード、石膏ボード又は鉄板のうち少なくとも１つを含む
ことを特徴とする請求項２に記載の壁材。
【請求項１５】
前記前側覆板及び後側覆板は、
木質系ボード、セメント系ボード、石膏ボード又は鉄板のうち少なくとも１つを含む
ことを特徴とする請求項３から請求項１３までのいずれか一項に記載の壁材。
【請求項１６】
保持されたＡＶ機器を備える
ことを特徴とする請求項１から請求項１５までのいずれか一項に記載の壁材。
【請求項１７】
前記ＡＶ機器は後側を覆うキャビネットを備え、
該キャビネットは上部及び下部夫々に空冷孔を備える
ことを特徴とする請求項１６に記載の壁材。
【請求項１８】
前記ＡＶ機器は後面部、上面部及び下面部を有するキャビネットを備え、
該キャビネットは上面部及び下面部夫々に空冷孔を備える
ことを特徴とする請求項１６に記載の壁材。
【請求項１９】
前記ＡＶ機器は、
後側を覆うキャビネットと、
該キャビネットにて覆われた電気回路と
を備え、
前記キャビネットは前記電気回路の上部及び下部夫々に空冷孔を備える
ことを特徴とする請求項１６に記載の壁材。
【請求項２０】
前記ＡＶ機器は、
後側を覆うキャビネットと、
該キャビネットにて覆われた電気回路部と
を備え、
前記キャビネットは、
前記電気回路に対応する部分から後側に突出した凸部を備え、
該凸部は上面部及び下面部夫々に空冷孔を備える
ことを特徴とする請求項１６に記載の壁材。
【請求項２１】
前記通気路を通流する空気を前記空冷孔に案内する案内部材を備える
ことを特徴とする請求項１７乃至請求項２０のいずれか一つに記載の壁材。
【請求項２２】
前記通気路を上部の空冷孔側及び下部の空冷孔側に仕切る仕切部材を備える
ことを特徴とする請求項１７乃至請求項２１のいずれか一つに記載の壁材。
【請求項２３】
前記ＡＶ機器は、
前記後側覆板側に露出し、該ＡＶ機器で発生した熱を放射する放熱部材を備える
ことを特徴とする請求項１６に記載の壁材。
【請求項２４】
前記通気路を通流する空気を前記放熱部材に案内する案内部材を備える
ことを特徴とする請求項２３に記載の壁材。
【請求項２５】
請求項１から請求項２４までのいずれか一項に記載の壁材を備えることを特徴とする建築物。
【請求項２６】
部屋の換気を行う換気装置と、
該換気装置及び壁材の開口を接続するダクトと
を備えることを特徴とする請求項２５に記載の建築物。
【請求項２７】
前記換気装置は、建築物外部に連通するダクトを備える
ことを特徴とする請求項２６に記載の建築物。
【発明の詳細な説明】
【技術分野】
【０００１】
本発明は、ＡＶ機器一体型の壁材及び該壁材を用いてなる建築物に関する。
【背景技術】
【０００２】
近年、高画質のデジタル放送を大画面の薄型表示装置で視聴するケースが増大してきた。表示装置が薄型化されているとはいえ、一般家庭の室内に大画面の表示装置を設置した場合、場所が取られ室内が狭くなるという問題が生ずる。この問題を解決する方策の一つとして、壁面に薄型テレビを取り付けることが行われている（例えば、特許文献１、２）。
【特許文献１】特開２００５−３６６０９号公報
【特許文献２】特開平１０−２０７３８５号公報
【発明の開示】
【発明が解決しようとする課題】
【０００３】
しかしながら、表示装置を壁面に取り付ける場合、大型の表示装置である程、地震による転倒、壁面からの落下に配慮する必要があるところ、特許文献１、２には、表示装置の転倒、落下を防止する構成は全く開示されていない。
また、特許文献２によれば、壁面に形成した凹部に表示装置を嵌め込んで取り付ける構成が開示されているが、凹部に表示装置を嵌め込んだ場合、表示装置の背面側で空気が滞留し、表示装置を効果的に冷却することができないという問題があった。
【０００４】
本願発明者は、壁面に表示装置を取り付けるのでは無く、壁材そのものを表示装置として構成し、空冷用の通気路を壁内に形成することによって、ＡＶ機器の配置場所、転倒、落下及び放熱の問題を一挙に解決することができる点に着眼した。
なお、特許文献１、２には、表示装置一体型の壁材を構成するという技術的思想乃至その具体的手段は全く開示されていない。
【０００５】
本発明は斯かる思想に基づくものであり、ＡＶ機器の配置場所、転倒、落下、放熱の問題を一挙に解決することができる壁材及び該壁材を備えた建築物を提供することを目的とする。
【課題を解決するための手段】
【０００６】
本発明に係る壁材は、内部にＡＶ機器を保持する壁躯体と、該壁躯体の内部に形成され、該壁躯体内のＡＶ機器に連通する通気路と、該通気路と連通する開口とを備えることを特徴とする。
【０００７】
本発明に係る壁材は、少なくとも２本の柱状部材と、該柱状部材間に掛け渡されており、ＡＶ機器を保持する保持部材と、前記柱状部材間を覆う覆板と、前記保持部材及び前記覆板を離隔し、又は前記保持部材に形成してなる通気路と、該通気路と連通する開口とを備えることを特徴とする。
【０００８】
本発明に係る壁材は、少なくとも２本の柱状部材と、該柱状部材間に掛け渡されており、ＡＶ機器を保持する保持部材と、前記柱状部材間を前記ＡＶ機器の前方から覆う前側覆板と、前記柱状部材間を前記ＡＶ機器の後方から覆う後側覆板と、前記保持部材及び前記後側覆板を離隔し、又は前記保持部材に形成してなる通気路と、該通気路と連通する開口とを備え、前記前側覆板は、前記保持部材に保持されるべきＡＶ機器を露出する窓部を有することを特徴とする。
【０００９】
本発明に係る壁材は、前記保持部材は、横方向両側部が前記柱状部材に接続され、前記柱状部材の上下両端部に亘る板状部材と、該板状部材に形成されており、ＡＶ機器が嵌め込まれるべき矩形状の開口部と、該開口部の下辺部分及び上辺部分に設けられており、上下方向からＡＶ機器を挾持する挾持部材とを備えることを特徴とする。
【００１０】
本発明に係る壁材は、前記挾持部材は、下方から上方へ又は横方向に空気を通流させるための通流孔を前記後側覆板側に備えることを特徴とする。
【００１１】
本発明に係る壁材は、前記開口は、前記覆板に形成されていることを特徴とする。
【００１２】
本発明に係る壁材は、前記開口は、前記前側覆板又は前記後側覆板に形成されていることを特徴とする。
【００１３】
本発明に係る壁材は、前記開口は複数であり、通気に使用する開口を選択する弁を備えることを特徴とする。
【００１４】
本発明に係る壁材は、壁外の温度を検出する温度センサと、該温度センサの検出結果に基づいて、前記弁の選択動作を制御する手段とを備えることを特徴とする。
【００１５】
本発明に係る壁材は、ＡＶ機器の電源の入切を検出する検出手段と、該検出手段の検出結果に基づいて、前記弁の動作を制御する手段とを備えることを特徴とする。
【００１６】
本発明に係る壁材は、前記開口に設けられたファンを備えることを特徴とする。
【００１７】
本発明に係る壁材は、壁内の温度を検出する温度センサを備え、該温度センサの検出結果に応じて、前記ファンの動作を制御する手段を備えることを特徴とする。
【００１８】
本発明に係る壁材は、ＡＶ機器の電源の入切を検出する検出手段と、ＡＶ機器の電源が入状態である場合、前記ファンを駆動させ、ＡＶ機器の電源が切状態である場合、前記ファンを停止させる手段とを備えることを特徴とする。
【００１９】
本発明に係る壁材は、前記覆板は、木質系ボード、セメント系ボード、石膏ボード又は鉄板のうち少なくとも１つを含むことを特徴とする。
【００２０】
本発明に係る壁材は、前記前側覆板及び後側覆板は、木質系ボード、セメント系ボード、石膏ボード又は鉄板のうち少なくとも１つを含むことを特徴とする。
【００２１】
本発明に係る壁材は、保持されたＡＶ機器を備えることを特徴とする。
【００２２】
本発明に係る壁材は、前記ＡＶ機器は後側を覆うキャビネットを備え、該キャビネットは上部及び下部夫々に空冷孔を備えることを特徴とする。
【００２３】
本発明に係る壁材は、前記ＡＶ機器は後面部、上面部及び下面部を有するキャビネットを備え、該キャビネットは上面部及び下面部夫々に空冷孔を備えることを特徴とする。
【００２４】
本発明に係る壁材は、前記ＡＶ機器は、後側を覆うキャビネットと、該キャビネットにて覆われた電気回路とを備え、前記キャビネットは前記電気回路の上部及び下部夫々に空冷孔を備えることを特徴とする。
【００２５】
本発明に係る壁材は、前記ＡＶ機器は、後側を覆うキャビネットと、該キャビネットにて覆われた電気回路部とを備え、前記キャビネットは、前記電気回路に対応する部分から後側に突出した凸部を備え、該凸部は上面部及び下面部夫々に空冷孔を備えることを特徴とする。
【００２６】
本発明に係る壁材は、前記通気路を通流する空気を前記空冷孔に案内する案内部材を備えることを特徴とする。
【００２７】
本発明に係る壁材は、前記通気路を上部の空冷孔側及び下部の空冷孔側に仕切る仕切部材を備えることを特徴とする。
【００２８】
本発明に係る壁材は、前記ＡＶ機器は、前記後側覆板側に露出し、該ＡＶ機器で発生した熱を放射する放熱部材を備えることを特徴とする。
【００２９】
本発明に係る壁材は、前記通気路を通流する空気を前記放熱部材に案内する案内部材を備えることを特徴とする。
【００３０】
本発明に係る建築物は、上述のいずれか一項に記載の壁材を備えることを特徴とする。
【００３１】
本発明に係る建築物は、部屋の換気を行う換気装置と、該換気装置及び壁材の開口を接続するダクトとを備えることを特徴とする。
【００３２】
本発明に係る建築物は、前記換気装置は、建築物外部に連通するダクトを備えることを特徴とする。
【００３３】
本発明にあっては、壁躯体の内部にＡＶ機器が保持されているため、ＡＶ機器の配置場所、転倒、落下の問題を一挙に解決することが可能になる。
壁躯体は、ＡＶ機器に空気を通流させる通気路と、通気路に連通する開口とを備えている。従って、開口から吸気された空気は、通気路を通流してＡＶ機器を空冷することができる。
なお、本発明には、未だＡＶ機器が壁内に保持されていない壁材も含まれる。また、本発明に係る壁材は、必ずしも建築用に限定されるものではなく、オフィス、展示会場等で使用されるパーティションのような壁材も含まれる。
【００３４】
本発明にあっては、少なくとも２本の柱状部材間に掛け渡された保持部材によってＡＶ機器が壁内に保持されており、覆板が壁面をなして柱状部材間を覆っている。従って、ＡＶ機器は壁材として一体的に構成され、ＡＶ機器の配置場所、転倒、落下の問題を一挙に解決することが可能になる。
また、開口から吸気された空気は、壁内の通気路を通流してＡＶ機器を空冷することができる。
【００３５】
本発明にあっては、少なくとも２本の柱状部材間に掛け渡された保持部材によって表示装置等のＡＶ機器が壁内に保持されており、覆板が壁面をなして柱状部材間を覆っている。従って、ＡＶ機器は壁材として一体的に構成され、ＡＶ機器の配置場所、転倒、落下の問題を一挙に解決することが可能になる。
また、開口から吸気された空気は、壁内の通気路を通流してＡＶ機器を空冷することができる。
更に、前側覆板は保持部材に保持されるべきＡＶ機器の前方に窓部を有している。従って、ＡＶ機器の表示面が窓部から壁外に露出し、使用者は壁外から表示面を視認することが可能になる。
【００３６】
本発明にあっては、ＡＶ機器は、柱状部材に接続された板状部材に形成された開口部に嵌め込まれ、開口部の上下に設けられた挾持部材によって上下から挾持される。従って、大型のＡＶ機器であっても壁内に強固に保持することが可能になる。
【００３７】
本発明にあっては、挾持部材は後側覆板側に通流孔を備えているため、挾持部材に挾持されたＡＶ機器の背面側を空冷することができる。
【００３８】
本発明にあっては、覆板の表側から空気を吸気し、ＡＶ機器を空冷することができる。
【００３９】
本発明にあっては、前側覆板に開口が形成されている場合、壁材の前側の空間から空気を吸気し、ＡＶ機器を空冷することができる。また、後側覆板に開口が形成されている場合、壁材の後側の空間から吸気を吸気し、ＡＶ機器を空冷することができる。例えば、壁材を間仕切りとして用いた場合、隣の部屋から空気を吸気することができる。また壁材の後側を外壁として用いた場合、屋外から空気を吸気することができる。
【００４０】
本発明にあっては、開口を複数備え、吸気に使用する開口を弁にて選択することができるため、より温度が低い空気を選択的に吸気することが可能になる。
【００４１】
本発明にあっては、温度センサが壁外の温度を検出し、温度センサの検出結果に基づいて弁の動作が制御される。従って、壁外の温度に応じて、吸気又は排気する場所を選択することが可能になる。
【００４２】
本発明にあっては、検出手段がＡＶ機器の電源の入切を検出し、検出手段の検出結果に基づいて弁の動作が制御される。従って、ＡＶ機器の入切に応じて、吸気又は排気する場所を選択することが可能になる。
【００４３】
本発明にあっては、開口にファンが設けられているため、より効果的に吸排気を行うことができ、ＡＶ機器を空冷することができる。
【００４４】
本発明にあっては、温度センサが壁内の温度を検出し、温度センサの検出結果に基づいてファンの動作が制御される。従って、壁内の温度に応じて、ファンを停止及び駆動、ファンの回転数等を選択することが可能になる。
【００４５】
本発明にあっては、検出手段がＡＶ機器の電源の入切を検出し、ＡＶ機器の電源が入状態で高発熱状態にある場合、ファンは駆動し、ＡＶ機器の電源が切状態で低発熱状態にある場合、ファンは停止する。従って、ＡＶ機器の空冷の要否に応じて、ファンを入切することができる。
【００４６】
本発明にあっては、木質系ボード、セメント系ボード、石膏ボード又は鉄板のような一般的な部材で覆板が構成されている。従って、壁材を低コストで構成することができる。
【００４７】
本発明にあっては、木質系ボード、セメント系ボード、石膏ボード又は鉄板のような一般的な部材で前側覆板及び後側覆板が構成されている。従って、壁材を低コストで構成することができる。
【００４８】
本発明にあっては、ＡＶ機器の後側を覆うキャビネットの下部の空冷孔から空気が流入し、ＡＶ機器内部を通流した空気は上部の空冷孔から流出する。従って、壁内に保持されたＡＶ機器をより効果的に空冷することが可能になる。
【００４９】
本発明にあっては、ＡＶ機器の後側を覆うキャビネットの下面部の空冷孔から空気が流入し、ＡＶ機器内部を通流した空気は上面部の空冷孔から流出する。従って、キャビネットの後方に開口した空冷孔を備えたＡＶ機器に比べて、ＡＶ機器内部を空気が通流し易く、壁内に保持されたＡＶ機器をより効果的に空冷することが可能になる。
【００５０】
本発明にあっては、ＡＶ機器を構成する電気回路と共に該ＡＶ機器の後側を覆うキャビネットは、電気回路の下部及び上部に空冷孔を備えている。このため、下部の空冷孔から流入した空気は発熱源である電気回路を集中的に空冷し、ＡＶ機器内部を通流した空気は上部の空冷孔から流出する。従って、壁内に保持されたＡＶ機器をより効果的に空冷することが可能になる。
【００５１】
本発明にあっては、ＡＶ機器を構成する電気回路と共に該ＡＶ機器の後側を覆うキャビネットを備えている。キャビネットは電気回路に対応する部分から背面側に突出した凸部を備え、該凸部は上面部及び下面部夫々に空冷孔を備えている。このため、電気回路の後方に開口した空冷孔を備えたＡＶ機器に比べて、ＡＶ機器内部を空気が通流し易く、壁内に保持されたＡＶ機器をより効果的に空冷することが可能になる。
【００５２】
本発明にあっては、案内部材が通気路を通流する空気を空冷孔に案内する。従って、壁内に保持されたＡＶ機器をより効果的に空冷することが可能になる。
【００５３】
本発明にあっては、仕切部材が通気路を上部の空冷孔側及び下部の空冷孔側に仕切っているため、上部の空冷孔から流出した暖かい空気が再び下部の空冷孔に流入することを防止することができ、より効果的にＡＶ機器を空冷することが可能になる。
【００５４】
本発明にあっては、ＡＶ機器は後側覆板側に露出した放熱部材を備えているため、通気路を通流する空気によって直接的に空冷される。従って、より効果的にＡＶ機器を空冷することが可能になる。
【００５５】
本発明にあっては、案内部材が通気路を通流する空気を放熱部材に案内する。従って、壁内に保持されたＡＶ機器をより効果的に空冷することが可能になる。
【００５６】
本発明にあっては、壁材の開口はダクトによって換気装置に接続されている。従って、換気装置にて壁内に空気を吸気し、通気路を通流した空気を外部に排気することができる。
【００５７】
本発明にあっては、換気装置と建築物外部とはダクトによって連通している。従って、壁材の通気路を通流した空気を建築物外に排気することができる。
【発明の効果】
【００５８】
本発明によれば、ＡＶ機器の配置場所、転倒、落下、放熱の問題を一挙に解決することができる。
【発明を実施するための最良の形態】
【００５９】
以下、本発明をその実施の形態を示す図面に基づいて詳述する。
図１は、本発明の実施の形態に係る建築用壁材１を模式的に示す斜視図、図２は、建築用壁材１の６面図、図３は、建築用壁材１の分解斜視図である。本発明の実施の形態に係る建築用壁材１は、壁下地構造２と、壁下地構造２の前側を開閉可能に覆う前側下地ボード３（覆板、前側覆板）と、壁下地構造２の後側を覆う後側下地ボード４（覆板、後側覆板）と、壁内に保持された表示装置６とを備えている。なお、前側は、表示装置６の表示面６１が露出する方向を意味する。
【００６０】
図４は、壁下地構造２の６面図である。壁下地構造２は、長手方向を略平行にして配した１対の柱状部材２１と、柱状部材２１間に掛け渡されており、表示面６１が前方を向く姿勢で表示装置６を保持する保持部材２２とを備えている。
【００６１】
柱状部材２１は略角柱状であり、大型の表示装置６を支持できる部材、例えば鉄鋼、木材等で形成されている。一の柱状部材２１の前面上部及び前面下部には、前側下地ボード３接続用の蝶番５をねじ止めするためのねじ穴２１ａが形成されている（図５参照）。他の柱状部材２１の前面上部及び前面下部には、柱状部材２１に前側下地ボード３を磁力で固定するための磁石２６が埋没されている。
【００６２】
保持部材２２は、横方向両側部が柱状部材２１に接続され、柱状部材２１の上下方向両端に亘る板状部材２３を備えている。板状部材２３は、大型の表示装置６を支持できる部材、例えば鉄鋼で形成されている。また、板状部材２３は、横方向略中央部、上下方向適宜箇所に表示装置６が嵌め込まれるべき横長矩形状の開口部２３ａを有している。開口部２３ａの上辺部分及び下辺部分には、開口部２３ａに嵌め込まれた表示装置６を上下方向から挾持する挾持部材２４、２５が設けられている。また、挾持部材２４、２５は、開口部２３ａの上辺部分及び下辺部分夫々から前後方向に、板状部材２３に対して略垂直に一体形成された平板状をなしている。挾持部材２４、２５は、表示装置６を締結するために横方向に並び設けられた３個のねじ孔２４ａ，２５ａを前側に有し、表示装置６を空冷するための通気孔２４ｃ，２５ｃが後側に形成されている。更に、板状部材２３は、前側下地ボード３に形成された後述の吸気口３５から吸気された空気を板状部材２３の背面側に引き込む角筒状の吸気管２７を、吸気口３５に対向する部分に備えている。
【００６３】
図５は、前側下地ボード３を開いた建築用壁材１を模式的に示す斜視図である。前側下地ボード３は、柱状部材２１及び保持部材２２を前方から覆う縦長略矩形板状の部材である。前側下地ボード３は、例えば、木質系ボード、セメント系ボード、石膏ボード又は鉄板である。また、前側下地ボード３は、保持部材２２に保持されるべき表示装置６の前方に横長矩形状の窓部３１を有している。窓部３１は、例えば透明の樹脂で形成されている。更に、前側下地ボード３は、蝶番５にて一の柱状部材２１に開閉可能に接続されている。具体的には、裏面の一側辺に設けられたねじ穴部３４に蝶番５の金属片が裏側からねじ止めされ、蝶番５の他の金属片が一の柱状部材２１にねじ止めされている。更にまた、前側下地ボード３は、前側下地ボード３を他の前記柱状部材２１に磁力で固定するために、裏面の側辺上部及び側辺下部に磁石３３を備えている。更にまた、前側下地ボード３は、表示装置６を遠隔操作するための遠隔操作信号、例えば赤外線を通過させる遠隔操作信号通過部３２を、窓部３１の下側に備えている。遠隔操作信号通過部３２は赤外線を透過する樹脂、シリコンなどで形成されている。なお、遠隔操作信号通過部３２は単なる開口であっても良い。更にまた、前側下地ボード３は、更に横方向一端側の下方に吸気口３５を備えている。
【００６４】
後側下地ボード４は、柱状部材２１及び保持部材２２を後方から覆う縦長矩形状の部材である。後側下地ボード４は、例えば、木質系ボード、セメント系ボード、石膏ボード又は鉄板である。
【００６５】
なお、離隔した板状部材２３及び後側下地ボード４並びに柱状部材２１で囲まれてなる空間は、表示装置６の下方から上方へ空気を通流させる通気路２９を構成している（図９参照）。また、板状部材２３、後側下地ボード４及び柱状部材２１の上端部分で囲まれてなる開口は、通気路２９を通流した空気を排気する排気口２８を構成している。
【００６６】
表示装置６は、例えば液晶表示装置、プラズマディスプレイ、有機ＥＬディスプレイ等である。特に液晶表示装置は、映像を表示する表示面６１を前側に有する略直方体の液晶表示モジュールと、液晶表示モジュールの周縁部及び背面側を被覆するキャビネット６２を備えている。
液晶表示モジュールは、液晶表示パネルと、液晶表示パネルを後側から照明するエリアライト方式のバックライト部と、バックライト部の背面側に配された電源回路と、バックライト部及び液晶表示パネル間に介装された光学シートとを備えている。
【００６７】
キャビネット６２は、液晶表示モジュールの周縁部を被覆する前キャビネット６３と、液晶表示モジュールの背面側を被覆する後キャビネット６４とから構成されている。前キャビネット６３の下部の適宜箇所には、遠隔操作信号を受信する遠隔操作信号受信部６５が設けられている。後キャビネット６４は、挾持部材２４、２５に面接触する平面状の上面部及び下面部を備え、上面部及び下面部には、表示面６１が前側下地ボード３よりも後方に位置するように表示装置６を挾持部材２４、２５に締結するための３個のねじ穴６４ａが横方向に並び設けられている。
【００６８】
図６は、表示装置６の空冷構造の細部を説明するための模式図である。図６（ａ）は、建築用壁材１の側面図、図６（ｂ）は、表示装置６の背面図、図６（ｃ）は、表示装置６側から見た後側下地ボード４の正面図である。図６（ｂ）及び（ｃ）に示すように、後キャビネット６４は、背面部の上部及び下部夫々に横長矩形の空冷孔６４ａ，６４ｂが形成されている。建築用壁材１の下方から上昇した空気は、下部の空冷孔６４ａに流入して表示装置６内部を通流し、上部の空冷孔６４ｂから流出することで、表示装置６を空冷する。
【００６９】
次に、本発明に係る建築用壁材１の使用方法を説明する。
図７は、表示装置６を壁内に保持させる前後の建築用壁材１を模式的に示す斜視図である。図７（ａ）は、壁内に表示装置６を保持させる前の建築用壁材１を示しており、前側下地ボード３には窓部３１が形成されていない。図７（ｂ）は、壁内に表示装置６を保持させた後の建築用壁材１を示している。使用者又は施工業者は、建築用壁材１の前側下地ボード３を開き、表示装置６を挾持部材２４、２５間に挾持させ、ねじ２４ｂ，２５ｂで表示装置６を挾持部材２４、２５に締結し、前側下地ボード３を閉じることによって、表示装置６を壁内に保持させることができる。
【００７０】
図８は、本発明に係る建築用壁材１を備えた建築物の一例を示す模式図、図９は、建築用壁材１を備えた建築物の一例を模式的に示す側断面図である。本発明に係る建築物は、部屋の換気を行う換気装置８１と、換気装置８１及び建築用壁材１の排気口２８を接続するダクト８２と、換気装置８１及び建築物外部とを連通するダクト８４とを備えている。
【００７１】
このように構成された建築用壁材１及び建築物にあっては、図９に示すように、換気装置８１が駆動した場合、吸気口３５及び吸気管２７を通じて通気路２９に空気が吸気されて、壁内の通気路２９を下方から上方へ上昇する。そして、表示装置６の背面側を空気が通流することで表示装置６を空冷する。表示装置６の背面側を通流した空気は排気口２８から排気される。排気口２８から排出された空気は換気装置８１を通じて屋外に排出される。
【００７２】
図１０は、建築用壁材１を備えた建築物の他の例を模式的に示す側断面図である。図１０に示す建築物は、熱交換機を有する換気装置８３を屋根に設置しており、ダクト８２にて建築用壁材１と、換気装置８３とを接続してある。またダクト８５にて換気装置８３と、建築物外部とを連通するように構成されている。
このように構成された建築物にあっては、表示装置６の空冷によって暖められた空気の熱を用いた換気を行うことができる。例えば、表示装置６の空冷によって得られた熱を用いて、外気を暖め、各部屋に供給することもできる。
【００７３】
このように構成された建築用壁材１にあっては、表示装置６一体型の建築用壁材１を構成し、ＡＶ機器の配置場所、転倒、落下、及び放熱の問題を一挙に解決することができる。
【００７４】
また、換気システムと連携させて、表示装置６を効果的に空冷することができる。
【００７５】
更に、保持部材２２は、柱状部材２１の上下端部に亘る板材部材に形成された開口部２３ａに表示装置６が嵌め込まれた状態で該表示装置６を保持しているため、表示装置６の荷重は、建築用壁材１の下方の土台、梁等に加わる。従って、大型の表示装置６を保持することができる。
【００７６】
更にまた、表示装置６の上面及び下面を平板状の挾持部材２４、２５で挾持した上、ねじ２４ｂ、２５ｂで表示装置６を挾持部材２４、２５に締結されているため、表示装置６が保持部材２２から落下、転倒することを効果的に防止することができる。
【００７７】
更にまた、保持部材２２は、柱状部材２１の上下端部に亘る板状をなし、その両側は各柱状部材２１に接続されているため、表示装置６と共に保持部材２２が転倒することを効果的に防止することができる。
【００７８】
更にまた、前側下地ボード３は、蝶番５にて開閉可能に柱状部材２１に接続されているため、使用者は必要に応じて前側下地ボード３を扉体のように開き、表示装置６の保守点検を行うことができる。また、表示装置６を取り替えることもできる。更に、表示装置６が取り付けられていない建築用壁材１に後から表示装置６を取り付けることもできる。
【００７９】
更にまた、前側下地ボード３と柱状部材２１とを磁力にて固定することができ、極めて簡単な構成でロック機構を構成することができる。
【００８０】
更にまた、表示装置６を保持部材２２に締結しているねじ２４ｂ、２５ｂは、建築用壁材１の前方に設けられているため、使用者は前側下地ボード３が開く前方側から表示装置６の取り付け、保守点検などを行うことができる。
【００８１】
更にまた、前側下地ボード３及び後側下地ボード４は、一般的な石膏ボードで構成されているため、壁面を低コストで構成することができる。
【００８２】
なお、前側下地ボードを開閉可能に構成してあるが、単純に前側下地ボードを着脱できるように構成しても良い。例えば、前側下地ボードの両側裏側に磁石を設け、両柱状部材の前面に磁石を設けるように構成しても良い。
【００８３】
（変形例１）
図１１は、変形例１に係る建築用壁材１０１を模式的に示す斜視図、図１２は、表示装置６を取り外した変形例１に係る建築用壁材１０１を模式的に示す斜視図、図１３は、変形例１に係る建築用壁材１０１の側断面図である。変形例１に係る建築用壁材１０１は、表示装置６を保持する縦断面矩形状の収容凹部１０２ｄを前面１０２ａに有する壁躯体１０２を備えている。
【００８４】
壁躯体１０２の収容凹部１０２ｄより下側部分には吸気口１２７が形成されており、壁躯体１０２は、吸気口１２７から吸気された空気を収容凹部１０２ｄの後方下部から収容凹部１０２ｄ内に通流させる吸気側通気路１０２ｂを備えている。
【００８５】
また、壁躯体１０２の収容凹部１０２ｄより上側部分には排気口１２８が形成されており、壁躯体１０２は、収容凹部１０２ｄの後方上部から収容凹部１０２ｄ内の空気を排気口１２８に通流させる排気側通気路１０２ｃを備えている。
【００８６】
変形例１にあっても、ＡＶ機器の配置場所、転倒、落下及び放熱の問題を一挙に解決することができる。
【００８７】
（変形例２）
図１４は、前側下地ボード３を開いた変形例２に係る建築用壁材２０１を模式的に示す斜視図、図１５は、変形例２に係る建築用壁材２０１の６面図、図１６は、変形例２に係る建築用壁材２０１を模式的に示す分解斜視図である。変形例２に係る建築用壁材２０１は、既存の室内設置用の表示装置２０６を壁内に保持することができるように構成されている。
【００８８】
変形例２に係る壁下地構造２０２の保持部材２２２は、横方向両側部が柱状部材２１に接続され、柱状部材２１の上下両端に亘る板状部材２２３を備えている。横方向略中央部、上下方向の適宜箇所に表示装置２０６が嵌め込まれるべき矩形状の開口部２３ａを有している。開口部２３ａの上辺部分及び下辺部分夫々には横方向に３個のねじ孔２２３ｂ，２２３ｃが並び設けられ、上辺部分及び下辺部分には挾持部材２２４、２２５が前側からねじ２２４ｆ，２２５ｆでねじ止めされている。
【００８９】
図１７は、変形例２に係る挾持部材２２４を模式的に示す斜視図、図１８は、変形例２に係る挾持部材２２４の６面図である。尚、背面図は正面図と同様であるため、背面図は省略してある。挾持部材２２４は、表示装置２０６の上部を覆うことができる寸法の横長矩形板２２４ａと、該横長矩形板２２４ａの周縁から下方に設けられた側壁板２２４ｂとを備え、表示装置２０６の上部に被せられる底浅平皿状をなしている。横長矩形板２２４ａは、横方向寸法が開口部２３ａ及び表示装置２０６の横方向寸法と略同一である。横長矩形板２２４ａの外側には略垂直に被固定片２２４ｃが形成されている。被固定片２２４ｃは、横長矩形板２２４ａの前後方向略中央部、横方向両端に亘る。また、被固定片２２４ｃは横方向に並び設けられた３個のねじ孔２２４ｄが形成され、被固定片２２４ｃは板状部材２２３に前面側からねじ止めされている。また、横長矩形板２２４ａの後側に表示装置２０６を空冷するための通気孔２２４ｅが形成されている。
挾持部材２２５の構成は、挾持部材２２４の構成と同様であり、横長矩形板２２５ａと、側壁板２２５ｂと、被固定片２２５ｃと、ねじ孔２２５ｄと、通気孔２２５ｅとを備え、板状部材２２３に前面側からねじ止めされている。
【００９０】
変形例２に係る建築用壁材２０１にあっては、表示装置２０６の形状に拘わらず表示装置２０６を壁内の保持部材２２２に保持させることができる。
【００９１】
（変形例３）
図１９は、変形例３に係る建築用壁材３０１を備えた建築物を模式的に示す側断面図である。変形例３に係る建築用壁材３０１を構成する前側下地ボード３０３は、表示装置６より下方に吸気口３３５を備え、表示装置６より上方に排気口３６を備えている。
【００９２】
変形例３に係る保持部材３２２を構成する板状部材３２３は、吸気口３３５から吸気された空気を板状部材３２３の背面側に引き込む角筒状の吸気管３２７を、吸気口３３５に対向する部分に備えている。また、板状部材３２３は、通気路２９を通流した空気を排気口３６に導く排気管３２８を、排気口３６に対向する部分に備えている。
【００９３】
変形例３にあっては、表示装置６が駆動している場合、空気が吸気口３３５及び吸気管３２７を通じて通気路２９に吸気される。吸気された空気は、通気路２９を下方から上方に向かって表示装置６の背面側を通流し、表示装置６を空冷する。表示装置６の背面側を通流した空気は、排気管３２８及び排気口３６から再び室内に排出される。
従って、換気装置が設置されていない建築物であっても、建築用壁内に空気を通流させることができ、表示装置６を空冷することができる。
【００９４】
（変形例４）
図２０は、変形例４に係る建築用壁材４０１を備えた建築物を模式的に示す側断面図である。変形例４に係る建築用壁材４０１を構成する前側下地ボード４０３は、表示装置６より下方に吸気口３３５を備え、表示装置６より上方に排気口３６を備えている。後側下地ボード４０４は、前側下地ボード４０３の吸気口３３５に対向する箇所に吸気口４５を備え、前側下地ボード４０３の排気口３６に対向する箇所に排気口４６を備えている。
【００９５】
変形例４に係る保持部材４２２を構成する板状部材４２３は、前側下地ボード４０３の吸気口３３５から吸気された空気を板状部材４２３の背面側に引き込む角筒状の吸気管４２７を、吸気口３３５に対向する部分に備えている。また、板状部材４２３は、通気路２９を通流した空気を排気口３６に導く排気管４２８を、前側下地ボード４０３の排気口３６に対向する部分に備えている。
【００９６】
また、建築用壁材４０１は、吸気に使用する吸気口３３５，４５を選択する吸気切替弁７２と、排気に使用する排気口３６，４６を選択する排気切替弁７３と、前側下地ボード４０３の外側の温度（以下、前側温度という）を検出する前側温度センサ７４と、後側下地ボード４０４の外側の温度（以下、後側温度という）を検出する後側温度センサ７５と、吸気切替弁７２及び排気切替弁７３の動作を制御する制御装置７１とを備えている。
【００９７】
図２１は、制御装置７１の構成を示すブロック図である。制御装置７１は、吸気切替弁７２及び排気切替弁７３の制御に関する演算処理を実行するＣＰＵ７１ａを備えている。ＣＰＵ７１ａにはバス７１ｇを介して、ＣＰＵ７１ａの動作に必要なプログラムを記憶するＲＯＭ７１ｂ、一時記憶用のＲＡＭ７１ｃ、表示装置６の電源の入切を検出する検出部７１ｄ、入力インタフェース（入力ＩＦ）７１ｆ、及び出力インタフェース（出力ＩＦ）７１ｅが接続されている。入力インタフェース７１ｆには、前側温度センサ７４及び後側温度センサ７５が接続され、出力インタフェース７１ｅには、吸気切替弁７２及び排気切替弁７３が接続されている。
【００９８】
図２２は、ＣＰＵ７１ａの処理手順を示すフローチャートである。ＣＰＵ７１ａは、検出部７１ｄにて表示装置６の電源が入状態であるか否かを判定する（ステップＳ１１）。切り状態であると判定した場合（ステップＳ１１：ＮＯ）、ＣＰＵ７１ａは、処理を終える。入状態であると判定した場合（ステップＳ１１：ＹＥＳ）、ＣＰＵ７１ａは、前側温度センサ７４にて前側温度を検出し（ステップＳ１２）、後側温度センサ７５にて後側温度を検出する（ステップＳ１３）。
【００９９】
次いで、ＣＰＵ７１ａは、前側温度が後側温度より高いか否かを判定する（ステップＳ１４）。前側温度が後側温度より高いと判定した場合（ステップＳ１４：ＹＥＳ）、吸気切替弁７２にて、後側下地ボード４０４の吸気口４５を開放する（ステップＳ１５）。そして、ＣＰＵ７１ａは、前側温度が所定温度未満であるか否かを判定する（ステップＳ１６）。前側温度が所定温度未満であると判定した場合（ステップＳ１６：ＹＥＳ）、ＣＰＵ７１ａは、排気切替弁７３にて、前側下地ボード４０３の排気口３６を開放し（ステップＳ１７）、処理を終える。前側温度が所定温度以上であると判定した場合（ステップＳ１６：ＮＯ）、ＣＰＵ７１ａは、後側下地ボード４０４の排気口４６を開放し（ステップＳ１８）、処理を終える。
【０１００】
ステップＳ１４で、前側温度が後側温度以下であると判定した場合（ステップＳ１４：ＮＯ）、吸気切替弁７２にて、前側下地ボード４０３の吸気弁が開放する（ステップＳ１９）。そして、ＣＰＵ７１ａは、後側温度が所定温度未満であるか否かを判定する（ステップＳ２０）。後側温度が所定温度未満であると判定した場合（ステップＳ２０：ＹＥＳ）、ＣＰＵ７１ａは、排気切替弁７３にて、後側下地ボード４０４の排気口４６を開放し（ステップＳ２１）、処理を終える。後側温度が所定温度以上と判定した場合（ステップＳ２０：ＮＯ）、ＣＰＵ７１ａは、前側下地ボード４０３の排気口３６を開放し（ステップＳ２２）、処理を終える。
【０１０１】
変形例４にあっては、建築用壁材４０１の前方及び後方の温度に応じて、吸気に使用する吸気口３３５、４５と、排気に使用する排気口３６，４６を選択することができる。具体的には、温度が低い部屋から吸気し、温度が高い部屋に排気することによって、表示装置６を効果的に空冷することができる。ただし、排気側の部屋の温度が所定温度より高い場合、温度が低い部屋から吸排気することによって、室温が高くなりすぎないようにすることができる。
【０１０２】
また、表示装置６の電源が入状態である場合、吸気切替弁７２及び排気切替弁７３の動作を制御し、切状態である場合、無駄な制御動作を停止させることができる。
【０１０３】
（変形例５）
図２３は、変形例５に係る建築用壁材５０１を備えた建築物を模式的に示す側断面図である。変形例５に係る建築用壁材５０１を構成する前側下地ボード３０３は、表示装置６より下方に吸気口３３５を備え、表示装置６より上方に排気口３６を備えている。
【０１０４】
変形例５に係る保持部材３２２を構成する板状部材３２３は、前側下地ボード３０３の吸気口３３５から吸気された空気を板状部材３２３の背面側に引き込む角筒状の吸気管３２７を、吸気口３３５に対向する部分に備えている。また、板状部材３２３は、通気路２９を通流した空気を排気口３６に導く排気管３２８を、前側下地ボード３０３の排気口２８に対向する部分に備えている。
【０１０５】
また、建築用壁材５０１は、吸気ファン７７を、吸気口３３５及び吸気管３２７の吸気経路上に備えている。また、建築用壁材５０１は、排気口３６及び排気管３２８の排気経路上に排気ファン７８を備えている。更に、建築用壁材５０１は、通気路２９内の温度を検出する温度センサ７６、吸気ファン７７及び排気ファン７８の動作を制御する制御装置７１を備えている。
【０１０６】
図２４は、制御装置７１の構成を示すブロック図である。制御装置７１は、変形例４と同様のＣＰＵ７１ａ、ＲＯＭ７１ｂ、ＲＡＭ７１ｃ、検出部７１ｄ、入力インタフェース７１ｆ及び出力インタフェース７１ｅを備えている。入力インタフェース７１ｆには、温度センサ７６が接続され、出力インタフェース７１ｅには排気ファン７８及び吸気ファン７７が接続されている。
【０１０７】
図２５は、ＣＰＵ７１ａの処理手順を示すフローチャートである。ＣＰＵ７１ａは、検出部７１ｄにて表示装置６の電源が入状態であるか否かを判定する（ステップＳ３１）。入状態であると判定した場合（ステップＳ３１：ＹＥＳ）、ＣＰＵ７１ａは、温度センサ７６にて温度を検出する（ステップＳ３２）。
【０１０８】
次いで、ＣＰＵ７１ａは、温度センサ７６にて検出した温度が所定温度以上であるか否かを判定する（ステップＳ３３）。所定温度以上であると判定した場合（ステップＳ３３：ＹＥＳ）、ＣＰＵ７１ａは、内部温度が検出した温度に応じた回転速度で吸気ファン７７を駆動し（ステップＳ３４）、排気ファン７８を駆動し（ステップＳ３５）、処理を終える。
【０１０９】
ステップＳ３１で表示装置６が切状態であると判定した場合（ステップＳ３１：ＮＯ）、ステップＳ３３で所定温度未満であると判定した場合（ステップＳ３３：ＮＯ）、ＣＰＵ７１ａは、吸気ファン７７を停止し（ステップＳ３６）、排気ファン７８を停止し（ステップＳ３７）、処理を終える。
【０１１０】
変形例５にあっては、吸気ファン７７及び排気ファン７８が設けられているため、より効果的に吸排気を行うことができ、表示装置６を空冷することができる。
【０１１１】
または、温度センサ７６が壁内の温度を検出し、温度センサ７６の検出結果に基づいてファンの動作が制御される。従って、壁内の温度に応じて、吸気ファン７７及び排気ファン７８を停止及び駆動、吸気ファン７７及び排気ファン７８の回転数等を選択し、効果的に表示装置６を空冷することができる。
【０１１２】
更に、制御装置７１が表示装置６の電源の入切を検出し、表示装置６の電源が入状態で高発熱状態にある場合、吸気ファン７７及び排気ファン７８を駆動し、表示装置６の電源が切状態で低発熱状態にある場合、吸気ファン７７及び排気ファン７８を停止させる。従って、表示装置６の空冷の要否に応じて、吸気ファン７７及び排気ファン７８を入切することができる。
【０１１３】
（変形例６）
図２６は、変形例６に係る建築用壁材の空冷細部構造を説明するための模式図である。図２６（ａ）は、建築用壁材の側断面図、図２６（ｂ）は、表示装置６の背面図、図２６（ｃ）は、表示装置６側から見た後側下地ボード４の正面図である。図２６（ｂ）及び（ｃ）に示すように、表示装置６の後キャビネット６４には、後面部の上部及び下部夫々に横長矩形の空冷孔６４ａ，６４ｂが形成されている。なお、図２６（ｃ）に示された破線は、その前側（紙面の手前側）に表示装置６の空冷孔６４ａ，６４ｂが位置していることを示している。また、建築用壁材は、通気路を下方から上方へ通流する空気を空冷孔６４ａに案内する案内部材６０９を、後側下地ボード４の裏面に備えている。案内部材６０９は、建築用壁材の通気路を塞ぐように形成された板状をなし、保持部材２２側の表示装置６に対応する箇所に該表示装置６と略同形の凹部を有し、該凹部の上部及び下部夫々に通気部が設けられている。
【０１１４】
変形例６にあっては、通気路の下方から上昇した空気を、案内部材６０９によって表示装置６の背面側に案内し、表示装置６を効果的に空冷することができる。
【０１１５】
（変形例７）
図２７は、変形例７に係る建築用壁材の空冷細部構造を説明するための模式図である。なお、図２７は、表示装置６側から見た後側下地ボード４の正面図である。変形例７に係る建築用壁材は、通気路を下方から上方へ通流する空気を空冷孔６４ａに案内する案内部材７０９を、後側下地ボード４の裏面に備えている。案内部材７０９は、表示装置６の両側夫々の通気路を各別に塞ぐように形成された板状をなしている。
【０１１６】
変形例７にあっては、より少ない材料で変形例６と同様の効果を奏する。
【０１１７】
（変形例８）
図２８は、変形例８に係る建築用壁材の空冷細部構造を説明するための模式図である。図２８（ａ）は、建築用壁材の側断面図、図２８（ｂ）は、表示装置６の背面図、図２８（ｃ）は、表示装置６側から見た後側下地ボード４の正面図である。表示装置６の構成は変形例６と同様である。
【０１１８】
変形例８に係る建築用壁材は、通気路を上部の空冷孔６４ｂ側及び下部の空冷孔６４ａ側に仕切る仕切部材８９１を後側下地ボードの裏面側に備えている。仕切部材８９１は、図２８（ｃ）に示すように角柱状をなし、表示装置６の上下方向略中央部の背面側に長手方向を横方向にして配されている。また仕切部材８９１は、各柱状部材２１に亘って、通気路を上下に仕切っている。
【０１１９】
変形例８にあっては、上部の空冷孔６４ｂから流出した暖かい空気が再び下部の空冷孔６４ａに流入することを防止することができ、より効果的に表示装置６を空冷することができる。
【０１２０】
（変形例９）
図２９は、変形例９に係る建築用壁材の空冷細部構造を説明するための模式図である。図２９（ａ）は、建築用壁材の側断面図、図２９（ｂ）は、表示装置６の背面図、図２９（ｃ）は、表示装置６側から見た後側下地ボード４の正面図である。表示装置６の構成は、変形例６と同様である。
【０１２１】
建築用壁材は、通気路を下方から上方へ通流する空気を空冷孔６４ａに案内する案内部材９０９を、後側下地ボード４の裏面に備えている。案内部材９０９は、建築用壁材の通気路を塞ぐように形成された板状をなし、保持部材２２側の表示装置６に対応する箇所に該表示装置６と略同形の凹部を有し、該凹部の上部及び下部夫々に通気部が設けられている。また、案内部材９０９は、通気路を上部の空冷孔６４ｂ側及び下部の空冷孔６４ａ側に仕切る板状の仕切部材９９１を一体的に備えている。
【０１２２】
変形例９にあっては、通気路の下方から上昇した空気を、案内部材９０９によって表示装置６の背面側に案内し、表示装置６を効果的に空冷することができる。
また、上部の空冷孔６４ｂから流出した暖かい空気が再び下部の空冷孔６４ａに流入することを防止することができ、より効果的に表示装置６を空冷することができる。
【０１２３】
（変形例１０）
図３０は、変形例１０に係る建築用壁材の空冷細部構造を説明するための模式図である。なお、図３０は、表示装置６側から見た後側下地ボード４の正面図である。変形例１０に係る建築用壁材は、通気路を下方から上方へ通流する空気を空冷孔６４ａに案内する案内部材１００９と、通気路を上部の空冷孔６４ｂ側及び下部の空冷孔６４ａ側に仕切る仕切部材１０９１とを後側下地ボード４の裏面側に備えている。
【０１２４】
案内部材１００９は、表示装置６の両側夫々の通気路を各別に塞ぐように形成された板状をなしている。また、案内部材１００９は、通気路を上部の空冷孔６４ｂ側及び下部の空冷孔６４ａ側に仕切る板状の仕切部材１０９１を一体的に備えている。仕切部材１０９１は、両側の各案内部材１００９に亘る横長板状をなし、表示装置６の上下方向略中央部の背面側に長手方向を横方向にして配されている。
【０１２５】
変形例１０にあっては、より少ない材料で変形例９と同様の効果を奏する。
【０１２６】
（変形例１１）
図３１は、変形例１１に係る建築用壁材の空冷細部構造を説明するための模式図である。図３１（ａ）は、建築用壁材の側断面図、図３１（ｂ）は、表示装置１１０６の背面図、図３１（ｃ）は、表示装置１１０６の平面図、図３１（ｄ）は表示装置１１０６の底面図、図３１（ｅ）は、表示装置１１０６側から見た後側下地ボード４の正面図である。表示装置１１０６は、液晶表示モジュールの周縁部を被覆する前キャビネット６３と、液晶表示モジュールの背面側を被覆する後キャビネット１１６４とを備えている。後キャビネット１１６４は、横長矩形板状の後面部と、後面部に対して略垂直に形成された上面部１１６４ｄ、下面部１１６４ｃ、側辺部とを備え、四角皿状を形成されている。上面部１１６４ｄ及び下面部１１６４ｃには横長矩形の空冷孔１１６４ａ，１１６４ｂが形成されている。後面部は後側下地ボード４に面接触している。
【０１２７】
また、建築用壁材は、通気路を下方から上方へ通流する空気を空冷孔１１６４ａに案内する案内部材１１０９を、後側下地ボード４の裏面に備えている。案内部材１１０９は、表示装置１１０６の両側夫々の通気路を各別に塞ぐように形成された板状をなしている。
【０１２８】
変形例１１にあっては、通気路の下方から上昇した空気は、案内部材１１０９によって表示装置１１０６の下面部１１６４ｃに案内された上、下面部１１６４ｃの空冷孔１１６４ａに流入し、表示装置１１０６内部を通流した空気は上面部１１６４ｄの空冷孔１１６４ｂから流出する。従って、後キャビネット１１６４の背面側に開口した空冷孔を備えた表示装置に比べて、表示装置１１０６を効果的に空冷することができる。
【０１２９】
（変形例１２）
図３２は、変形例１２に係る建築用壁材の空冷細部構造を説明するための模式図である。図３２（ａ）は、建築用壁材の側断面図、図３２（ｂ）は、表示装置１１０６の背面図、図３２（ｃ）は、表示装置１１０６の平面図、図３２（ｄ）は表示装置１１０６の底面図、図３２（ｅ）は、表示装置１１０６側から見た後側下地ボード４の正面図である。表示装置１１０６の構成は変形例１１と同様である。
【０１３０】
建築用壁材は、通気路を下方から上方へ通流する空気を空冷孔１１６４ａに案内する案内部材１２０９を、後側下地ボード４の裏面に備えている。案内部材１２０９は、建築用壁材の通気路を塞ぐように形成された板状をなし、保持部材２２側の表示装置１１０６に対応する箇所に該表示装置１１０６と略同形の凹部を有し、該凹部の上部及び下部夫々に通気部が設けられている。
【０１３１】
変形例１２にあっては、変形例１１と同様、通気路の下方から上昇した空気は、案内部材１２０９によって表示装置１１０６の下面部１１６４ｃに案内された上、下面部１１６４ｃの空冷孔１１６４ａに流入し、表示装置１１０６内部を通流した空気は上面部１１６４ｄの空冷孔１１６４ｂから流出する。従って、後キャビネット１１６４の背面側に開口した空冷孔を備えた表示装置に比べて、表示装置１１０６を効果的に空冷することができる。
【０１３２】
（変形例１３）
図３３は、変形例１３に係る建築用壁材の空冷細部構造を説明するための模式図である。図３３（ａ）は、建築用壁材の側断面図、図３３（ｂ）は、表示装置１３０６の背面図、図３３（ｃ）は、表示装置１３０６側から見た後側下地ボード４の正面図である。
【０１３３】
表示装置１３０６は、液晶表示モジュールを駆動するための電源回路１３６６を備え、表示装置１３０６の後キャビネット１３６４は、電源回路１３６６の上部及び下部夫々に空冷孔１３６４ａ、１３６４ｂを備えている。
【０１３４】
建築用壁材は、通気路を下方から上方へ通流する空気を電源回路１３６６の背面側付近の空冷孔１３６４ａに案内する案内部材１３０９を後側下地ボード４の裏面に備えている。案内部材１３０９は、建築用壁材の通気路を塞ぐように形成された板状をなし、保持部材２２側の電源回路１３６６に対応する箇所に電源回路１３６６と略同形の凹部を有し、該凹部の上部及び下部夫々に通気部が設けられている。
【０１３５】
変形例１３にあっては、発熱源の電源回路１３６６を集中的に空冷し、壁内に保持された表示装置１３０６をより効果的に空冷することができる。
【０１３６】
（変形例１４）
図３４は、変形例１４に係る建築用壁材の空冷細部構造を説明するための模式図である。表示装置１３０６の構成は変形例１３と同様である。建築用壁材は、通気路を下方から上方へ通流する空気を空冷孔１３６４ａに案内する案内部材１４０９を、後側下地ボード４の裏面に備えている。案内部材１４０９は、図３４に示すように、表示装置１３０６及び電源回路１３６６の両側夫々の通気路を各別に塞ぐように形成された板状をなしている。
【０１３７】
変形例１４にあっては、変形例１３と同様、発熱源の電源回路１３６６を集中的に空冷し、壁内に保持された表示装置１３０６をより効果的に空冷することができる。
【０１３８】
（変形例１５）
図３５は、変形例１５に係る建築用壁材の空冷細部構造を説明するための模式図である。図３５（ａ）は、建築用壁材の側断面図、図３５（ｂ）は、表示装置１３０６の背面図、図３５（ｃ）は、表示装置１３０６側から見た後側下地ボード４の正面図である。表示装置１３０６の構成は、変形例１３と同様である。
【０１３９】
建築用壁材は、通気路を下方から上方へ通流する空気を空冷孔１３６４ａに案内する案内部材１５０９を備えている。案内部材１５０９は、建築用壁材の通気路を塞ぐように形成された板状をなしている。また、案内部材１５０９は、通気路を上部の空冷孔１３６４ｂ側及び下部の空冷孔１３６４ａ側に仕切る板状の仕切部材１５９１を一体的に備えている。
【０１４０】
変形例１５にあっては、発熱源の電源回路１３６６を集中的に空冷し、壁内に保持された表示装置１３０６をより効果的に空冷することができる。
また、上部の空冷孔１３６４ｂから流出した暖かい空気が再び下部の空冷孔１３６４ａに流入することを防止することができ、より効果的に表示装置１３０６を空冷することができる。
【０１４１】
（変形例１６）
図３６は、変形例１６に係る建築用壁材の空冷細部構造を説明するための模式図である。なお、図３６は、表示装置１３０６側から見た後側下地ボード４の正面図である。変形例１６に係る建築用壁材は、通気路を下方から上方へ通流する空気を空冷孔１３６４ａに案内する案内部材１６０９を備えている。案内部材１６０９は、表示装置１３０６及び電源回路１３６６の両側夫々の通気路を各別に塞ぐように形成された板状をなしている。また、案内部材１６０９は、通気路を上部の空冷孔１３６４ｂ側及び下部の空冷孔１３６４ａ側に仕切る板状の仕切部材１６９１を一体的に備えている。
【０１４２】
変形例１６にあっては、変形例１５と同様の効果を奏する。
【０１４３】
（変形例１７）
図３７は、変形例１７に係る建築用壁材の空冷細部構造を説明するための模式図である。図３７（ａ）は、建築用壁材の側断面図、図３７（ｂ）は、表示装置１７０６の背面図、図３７（ｃ）は、表示装置１７０６の平面図、図３７（ｄ）は表示装置１７０６の底面図、図３７（ｅ）は、表示装置１７０６側から見た後側下地ボード４の正面図である。図３７（ｂ）及び（ｃ）に示すように、表示装置１７０６は、液晶表示モジュールを駆動するための電源回路１７６６と、後キャビネット１７６４とを備えている。後キャビネットは、電源回路１７６６に対応する部分から後側に突出した中空略直方体の凸部１７６４ｅを備えている。凸部１７６４ｅは、矩形板状の後面部と、後面部に対して略垂直に形成された上面部１７６４ｇ、下面部１７６４ｆ、側辺部とを備えている。上面部１７６４ｇ及び下面部１７６４ｆには横長矩形の空冷孔１７６４ａ，１７６４ｂが形成されている。後面部は後側下地ボード４に面接触している。
【０１４４】
また、建築用壁材は、通気路を下方から上方へ通流する空気を空冷孔１７６４ａに案内する案内部材１７０９を、後側下地ボード４の裏面に備えている。案内部材１７０９は、後キャビネット１７６４及び凸部１７６４ｅの両側夫々の通気路を各別に塞ぐように形成された板状をなしている。
【０１４５】
変形例１７にあっては、通気路の下方から上昇した空気は、案内部材１７０９によって凸部１７６４ｅの下面部１７６４ｆに案内された上、下面部１７６４ｆの空冷孔１７６４ａに流入し、表示装置１７０６内部を通流した空気は上面部１７６４ｇの空冷孔１７６４ｂから流出する。従って、後キャビネット１７６４の背面側に開口した空冷孔を備えた表示装置に比べて、表示装置１７０６の電源回路１７６６を集中的に空冷し、壁内に保持された表示装置１７０６をより効果的に空冷することができる。
また、上部の空冷孔１７６４ｂから流出した暖かい空気が再び下部の空冷孔１７６４ａに流入することを防止することができ、より効果的に表示装置１７０６を空冷することができる。
【０１４６】
（変形例１８）
図３８は、変形例１８に係る建築用壁材の空冷細部構造を説明するための模式図である。図３８（ａ）は、建築用壁材の側断面図、図３８（ｂ）は、表示装置１７０６の背面図、図３８（ｃ）は、表示装置１７０６の平面図、図３８（ｄ）は表示装置１７０６の底面図、図３８（ｅ）は、表示装置１７０６側から見た後側下地ボード４の正面図である。表示装置１７０６の構成は変形例１７と同様である。
【０１４７】
建築用壁材は、通気路を下方から上方へ通流する空気を空冷孔１７６４ａに案内する案内部材１８０９を、後側下地ボード４の裏面に備えている。案内部材１８０９は、建築用壁材の通気路を塞ぐように形成された板状をなし、保持部材２２側の凸部１７６４ｅに対応する箇所に凸部１７６４ｅと略同形の凹部を有し、該凹部の上部及び下部夫々に通気部が設けられている。
【０１４８】
変形例１８にあっては、変形例１７と同様の効果を奏する。
【０１４９】
（変形例１９）
図３９は、変形例１９に係る建築用壁材の空冷細部構造を説明するための模式図である。図３９（ａ）は、建築用壁材の側断面図、図３９（ｂ）は、表示装置１９０６の背面図、図３９（ｃ）は、表示装置１９０６側から見た後側下地ボード４の正面図である。変形例１９に係る表示装置１９０６は、後面側にキャビネットを備えておらず、後側下地ボード４側に露出し、装置で発生した熱を放射する放熱板１９６６を後面側に備えている。放熱板１９６６は、表示装置の縦横寸法と略同一寸法の矩形状をなしている。
【０１５０】
変形例１９にあっては、後キャビネットを備えず、後側下地ボード４側に放熱板１９６６が露出しているため、表示装置１９０６は通気路を通流する空気によって直接的に空冷される。従って、より効果的に表示装置１９０６を空冷することができる。
【０１５１】
（変形例２０）
図４０は、変形例２０に係る建築用壁材の空冷細部構造を説明するための模式図である。図４０（ａ）は、建築用壁材の側断面図、図４０（ｂ）は、表示装置１９０６の背面図、図４０（ｃ）は、表示装置１９０６側から見た後側下地ボード４の正面図である。表示装置１９０６の構成は変形例１９と同様である。
【０１５２】
建築用壁材は、通気路を下方から上方へ通流する空気を放熱板１９６６に案内する案内部材２００９を、後側下地ボード４の裏面に備えている。案内部材２００９は、建築用壁材の通気路を塞ぐように形成された板状をなし、保持部材側の放熱板１９６６に対応する箇所に放熱板１９６６と略同形の凹部を有し、該凹部の上部及び下部夫々に通気部が設けられている。
【０１５３】
変形例２０にあっては、通気路の下方から上昇した空気を、案内部材２００９によって放熱板１９６６の背面側に案内し、表示装置１９０６を効果的に空冷することができる。
【０１５４】
（変形例２１）
図４１は、変形例２１に係る建築用壁材の空冷細部構造を説明するための模式図である。図４１（ａ）は、建築用壁材の側断面図、図４１（ｂ）は、表示装置２１０６の背面図、図４１（ｃ）は、表示装置２１０６側から見た後側下地ボード４の正面図である。変形例２１に係る表示装置２１０６は、後面側にキャビネットを備えておらず、液晶表示モジュールを駆動するための電源回路２１６７と、該電源回路２１６７に接触しており、後側下地ボード４側に露出して熱を放射する放熱板２１６６を後面側に備えている。放熱板２１６６は、電源回路２１６７の縦横寸法と略同一寸法の矩形状をなしている。
【０１５５】
また、建築用壁材は、通気路を下方から上方へ通流する空気を放熱板２１６６に案内する案内部材２１０９を、後側下地ボード４の裏面に備えている。案内部材２１０９は、建築用壁材の通気路を塞ぐように形成された板状をなし、保持部材側の放熱板２１６６に対応する箇所に放熱板２１６６と略同形の凹部を有し、該凹部の上部及び下部夫々に通気部が設けられている。
【０１５６】
変形例２１にあっては、後キャビネットを備えず、後側下地ボード４側に放熱板２１６６が露出しているため、表示装置２１０６の電源回路２１６７は通気路を通流する空気によって直接的に空冷される。従って、より効果的に表示装置２１０６を空冷することができる。
また、通気路の下方から上昇した空気を、案内部材２１０９によって放熱板２１６６の背面側に案内し、表示装置２１０６を効果的に空冷することができる。
【０１５７】
（変形例２２）
図４２は、変形例２２に係る建築用壁材の水冷細部構造を説明するための模式図である。図４２（ａ）は、建築用壁材の側断面図、図４２（ｂ）は、表示装置１９０６の背面図、図４２（ｃ）は、表示装置１９０６側から見た後側下地ボード４の正面図である。表示装置１９０６の構成は変形例１９と同様である。建築用壁材は、表示装置１９０６を水冷する水冷管９１を裏面に備えている。水冷管９１は、放熱板１９６６に接触しており、放熱板１９６６の縦横寸法内に収まるように配されている。
【０１５８】
変形例２２にあっては、表示装置１９０６を効果的に水冷することができる。
【０１５９】
（変形例２３）
図４３は、変形例２３に係る建築用壁材の水冷細部構造を説明するための模式図である。図４３（ａ）は、建築用壁材の側断面図、図４３（ｂ）は、表示装置１９０６の背面図、図４３（ｃ）は、表示装置１９０６側から見た後側下地ボード４の正面図である。表示装置１９０６の構成は変形例１９と同様である。建築用壁材は、表示装置１９０６を水冷する水冷管９２を裏面に備えている。水冷管９２は、放熱板１９６６に接触しており、放熱板１９６６の領域よりも広範囲に亘って広がり、配されている。
【０１６０】
変形例２３にあっては、表示装置１９０６をより効果的に水冷することができる。
【０１６１】
（変形例２４）
図４４は、変形例２４に係る建築用壁材の水冷細部構造を説明するための模式図である。図４４（ａ）は、建築用壁材の側断面図、図４４（ｂ）は、表示装置２１０６の背面図、図４４（ｃ）は、表示装置２１０６側から見た後側下地ボード４の正面図である。表示装置２１０６の構成は変形例１９と同様である。建築用壁材は、表示装置２１０６を水冷する水冷管９３を裏面に備えている。水冷管９３は、放熱板２１６６に接触しており、放熱板２１６６の縦横寸法内に収まるように配されている。
【０１６２】
変形例２４にあっては、電源回路２１６７部分を水冷することで、表示装置２１０６をより効果的に冷却することができる。
【図面の簡単な説明】
【０１６３】
【図１】本発明の実施の形態に係る建築用壁材を模式的に示す斜視図である。
【図２】建築用壁材の６面図である。
【図３】建築用壁材の分解斜視図である。
【図４】壁下地構造の６面図である。
【図５】前側下地ボードを開いた建築用壁材を模式的に示す斜視図である。
【図６】表示装置の空冷構造の細部を説明するための模式図である。
【図７】表示装置を壁内に保持させる前後の建築用壁材を模式的に示す斜視図である。
【図８】本発明に係る建築用壁材を備えた建築物の一例を示す模式図である。
【図９】建築用壁材を備えた建築物の一例を模式的に示す側断面図である。
【図１０】建築用壁材を備えた建築物の他の例を模式的に示す側断面図である。
【図１１】変形例１に係る建築用壁材を模式的に示す斜視図である。
【図１２】表示装置を取り外した変形例１に係る建築用壁材を模式的に示す斜視図である。
【図１３】変形例１に係る建築用壁材の側断面図である。
【図１４】前側下地ボードを開いた変形例２に係る建築用壁材を模式的に示す斜視図である。
【図１５】変形例２に係る建築用壁材の６面図である。
【図１６】変形例２に係る建築用壁材を模式的に示す分解斜視図である。
【図１７】変形例２に係る挾持部材を模式的に示す斜視図である。
【図１８】変形例２に係る挾持部材の６面図である。
【図１９】変形例３に係る建築用壁材を備えた建築物を模式的に示す側断面図である。
【図２０】変形例４に係る建築用壁材を備えた建築物を模式的に示す側断面図である。
【図２１】制御装置の構成を示すブロック図である。
【図２２】ＣＰＵの処理手順を示すフローチャートである。
【図２３】変形例５に係る建築用壁材を備えた建築物を模式的に示す側断面図である。
【図２４】制御装置の構成を示すブロック図である。
【図２５】ＣＰＵの処理手順を示すフローチャートである。
【図２６】変形例６に係る建築用壁材の空冷細部構造を説明するための模式図である。
【図２７】変形例７に係る建築用壁材の空冷細部構造を説明するための模式図である。
【図２８】変形例８に係る建築用壁材の空冷細部構造を説明するための模式図である。
【図２９】変形例９に係る建築用壁材の空冷細部構造を説明するための模式図である。
【図３０】変形例１０に係る建築用壁材の空冷細部構造を説明するための模式図である。
【図３１】変形例１１に係る建築用壁材の空冷細部構造を説明するための模式図である。
【図３２】変形例１２に係る建築用壁材の空冷細部構造を説明するための模式図である。
【図３３】変形例１３に係る建築用壁材の空冷細部構造を説明するための模式図である。
【図３４】変形例１４に係る建築用壁材の空冷細部構造を説明するための模式図である。
【図３５】変形例１５に係る建築用壁材の空冷細部構造を説明するための模式図である。
【図３６】変形例１６に係る建築用壁材の空冷細部構造を説明するための模式図である。
【図３７】変形例１７に係る建築用壁材の空冷細部構造を説明するための模式図である。
【図３８】変形例１８に係る建築用壁材の空冷細部構造を説明するための模式図である。
【図３９】変形例１９に係る建築用壁材の空冷細部構造を説明するための模式図である。
【図４０】変形例２０に係る建築用壁材の空冷細部構造を説明するための模式図である。
【図４１】変形例２１に係る建築用壁材の空冷細部構造を説明するための模式図である。
【図４２】変形例２２に係る建築用壁材の水冷細部構造を説明するための模式図である。
【図４３】変形例２３に係る建築用壁材の水冷細部構造を説明するための模式図である。
【図４４】変形例２４に係る建築用壁材の水冷細部構造を説明するための模式図である。
【符号の説明】
【０１６４】
１  建築用壁材
２  壁下地構造
３  前側下地ボード
４  後側下地ボード
５  蝶番
６  表示装置
２１  柱状部材
２２  保持部材
２３  板状部材
２３ａ  開口部
２４、２５  挾持部材
２７  吸気管
２８  排気口
３１  窓部
６２  キャビネット
６３  前キャビネット
６４  後キャビネット
７１  制御装置
７２  吸気切替弁
７３  排気切替弁
７４  前側温度センサ
７５  後側温度センサ
７６  温度センサ
７７  吸気ファン
７８  排気ファン
１０２  壁躯体
１０２ｂ  吸気側通気路
１０２ｃ  排気側通気路
１０２ｄ  収容凹部
【図１】
2008208703.tif 000003
【図２】
2008208703.tif 000004
【図３】
2008208703.tif 000005
【図４】
2008208703.tif 000006
【図５】
2008208703.tif 000007
【図６】
2008208703.tif 000008
【図７】
2008208703.tif 000009
【図８】
2008208703.tif 000010
【図９】
2008208703.tif 000011
【図１０】
2008208703.tif 000012
【図１１】
2008208703.tif 000013
【図１２】
2008208703.tif 000014
【図１３】
2008208703.tif 000015
【図１４】
2008208703.tif 000016
【図１５】
2008208703.tif 000017
【図１６】
2008208703.tif 000018
【図１７】
2008208703.tif 000019
【図１８】
2008208703.tif 000020
【図１９】
2008208703.tif 000021
【図２０】
2008208703.tif 000022
【図２１】
2008208703.tif 000023
【図２２】
2008208703.tif 000024
【図２３】
2008208703.tif 000025
【図２４】
2008208703.tif 000026
【図２５】
2008208703.tif 000027
【図２６】
2008208703.tif 000028
【図２７】
2008208703.tif 000029
【図２８】
2008208703.tif 000030
【図２９】
2008208703.tif 000031
【図３０】
2008208703.tif 000032
【図３１】
2008208703.tif 000033
【図３２】
2008208703.tif 000034
【図３３】
2008208703.tif 000035
【図３４】
2008208703.tif 000036
【図３５】
2008208703.tif 000037
【図３６】
2008208703.tif 000038
【図３７】
2008208703.tif 000039
【図３８】
2008208703.tif 000040
【図３９】
2008208703.tif 000041
【図４０】
2008208703.tif 000042
【図４１】
2008208703.tif 000043
【図４２】
2008208703.tif 000044
【図４３】
2008208703.tif 000045
【図４４】
2008208703.tif 000046